(57)【要約】【課題】回転源の出力軸に対する駆動歯車の誤組付けを抑え、かつ駆動歯車の製造コストを低減する。【解決手段】駆動歯車３２の軸孔３２Ａの内周側に、組付け用雌スプライン３２Ｅと、誤組付け防止用雌スプライン３２Ｆとを設ける。これにより、駆動歯車３２の開口部３２Ｃを油圧モータ１２の出力軸１２Ａに組付けたときには、組付け用雌スプライン３２Ｅを出力軸１２Ａの雄スプライン１２Ｂに確実に噛合させることができる。一方、駆動歯車３２の軸方向他側の開口部３２Ｄを誤って出力軸１２Ａに組付けたときには、誤組付け防止用雌スプライン３２Ｆが、雄スプライン１２Ｂの切上り部１２Ｃに引掛かることにより、駆動歯車３２が、組付け方向を誤ったまま出力軸１２Ａに組付けられてしまうのを防止することができる。【選択図】        図６
2004245283.tif 000002
【特許請求の範囲】
【請求項１】
雄スプラインが形成された出力軸を有する回転源と、内周側に該回転源の出力軸が組付けられる軸孔が貫通して形成されると共に外周側に歯部が形成された駆動歯車と、該駆動歯車の回転を減速して出力する歯車減速機構とを備えてなる減速装置において、
前記駆動歯車の内周側には、軸方向一側の開口部を前記出力軸に組付けたときに該出力軸の雄スプラインに噛合する組付け用雌スプラインと、軸方向他側の開口部を前記出力軸に誤って組付けたときに該出力軸の雄スプラインに引掛かる誤組付け防止用雌スプラインとを設ける構成としたことを特徴とする減速装置。
【請求項２】
前記組付け用雌スプラインは、前記駆動歯車の軸方向中間位置から軸方向一側に寄った位置に配置し、前記誤組付け防止用雌スプラインは、前記駆動歯車の軸方向他側の開口部近傍に配置する構成としてなる請求項１に記載の減速装置。
【発明の詳細な説明】
【０００１】
【発明の属する技術分野】
本発明は、例えば油圧ショベル、油圧クレーン等の建設機械に搭載される走行装置、旋回装置等に用いて好適な減速装置に関する。
【０００２】
【従来の技術】
一般に、油圧ショベル、油圧クレーン等の建設機械は、自走可能な下部走行体と、該下部走行体上に旋回可能に搭載された上部旋回体とにより大略構成されている。そして、下部走行体と上部旋回体との間に設けられる旋回装置、下部走行体に設けられる走行装置等には、回転源の出力を増大するための減速装置が用いられている（例えば、特許文献１参照）。
【０００３】
【特許文献１】
特開２０００−２６４２６７号公報
【０００４】
そこで、従来技術による油圧ショベルの走行装置に用いられる減速装置について、図８ないし図１２を参照しつつ説明する。
【０００５】
図中、１は油圧ショベルで、該油圧ショベル１は、クローラ式の下部走行体２と、該下部走行体２上に旋回可能に搭載された上部旋回体３とにより大略構成されている。
【０００６】
ここで、下部走行体２は、前，後方向に延びる左，右のサイドフレーム４（左側のみ図示）を有するトラックフレーム５と、各サイドフレーム４の前端側に設けられた遊動輪６と、各サイドフレーム４の後端側に設けられた駆動輪７と、遊動輪６と駆動輪７とに巻回された履帯８とにより構成されている。
【０００７】
１１はサイドフレーム４の後端側に設けられたブラケット４Ａと駆動輪７との間に設けられた走行用の減速装置で、該減速装置１１は、駆動輪７を回転させて履帯８を周回駆動することにより、油圧ショベル１を走行させるものである。そして、減速装置１１は、後述の油圧モータ１２、駆動歯車１８、減速歯車２０、遊星歯車減速機構２２，２３、回転軸２４等により構成されている。
【０００８】
１２は回転源としての油圧モータで、該油圧モータ１２は後述のケーシング１３に取付けられている。そして、油圧モータ１２は、油圧ポンプ（図示せず）から圧油が給排されることにより作動して出力軸１２Ａを回転させるものである。また、出力軸１２Ａの外周側には、図１０に示すように、後述する駆動歯車１８の雌スプライン１８Ｅに噛合する雄スプライン１２Ｂが形成されている。この場合、雄スプライン１２Ｂの基端側は、カッター（図示せず）を用いて雄スプライン１２Ｂを切削するときに当該カッターを逃がす切上り部１２Ｃとなっている。
【０００９】
１３は減速装置１１の外殻をなすケーシングで、該ケーシング１３は、内部に後述の減速歯車２０等を収容した歯車ケース１４と、該歯車ケース１４の軸方向一側を施蓋する蓋体１５と、歯車ケース１４の軸方向他側に固着され内周側に内歯１６Ａが形成されたリングギヤ１６と、該リングギヤ１６の軸方向他側に固着され内周側に内歯１７Ａが形成されたリングギヤ１７とにより構成され、リングギヤ１７の軸方向他側は、サイドフレーム４のブラケット４Ａに固着されている。そして、蓋体１５には油圧モータ１２が取付けられ、該油圧モータ１２の出力軸１２Ａはケーシング１３内に伸長している。
【００１０】
１８はケーシング１３の歯車ケース１４内に収容されたピニオン歯車からなる駆動歯車で、該駆動歯車１８は、軸受１９，１９によって歯車ケース１４内に回転可能に支持され、油圧モータ１２の出力軸１２Ａに組付けられることにより、該出力軸１２Ａと一体に回転するものである。
【００１１】
ここで、駆動歯車１８は、図１０および図１１に示すように、内周側が軸方向に貫通する軸孔１８Ａとなり、外周側は後述の減速歯車２０に噛合する歯部１８Ｂとなっている。そして、軸孔１８Ａの軸方向一側は開口部１８Ｃとなり、軸方向他側は開口部１８Ｄとなっている。また、軸孔１８Ａの内周側には雌スプライン１８Ｅが形成され、該雌スプライン１８Ｅは、油圧モータ１２の出力軸１２Ａに形成された雄スプライン１２Ｂに噛合する構成となっている。
【００１２】
２０はケーシング１３の歯車ケース１４内に収容された減速歯車で、該減速歯車２０は、軸受２１，２１によって歯車ケース１４内に回転可能に支持され、駆動歯車１８の歯部１８Ｂに噛合している。そして、減速歯車２０は、後述の各遊星歯車減速機構２２，２３と共に駆動歯車１８の回転を減速して出力する歯車減速機構を構成している。
【００１３】
２２は減速歯車２０の軸中心線と同心上に配置された１段目の遊星歯車減速機構で、該遊星歯車減速機構２２は、減速歯車２０の中心部にスプライン結合された太陽歯車２２Ａと、該太陽歯車２２Ａとリングギヤ１６の内歯１６Ａとに噛合しリングギヤ１６の周囲を自転しつつ公転する複数の遊星歯車２２Ｂと、該遊星歯車２２Ｂを回転可能に支持するキャリア２２Ｃとにより大略構成されている。
【００１４】
２３は遊星歯車減速機構２２と同心上に配置された２段目の遊星歯車減速機構で、該遊星歯車減速機構２３は、遊星歯車減速機構２２のキャリア２２Ｃにスプライン結合された太陽歯車２３Ａと、該太陽歯車２３Ａとリングギヤ１７の内歯１７Ａとに噛合しリングギヤ１７の周囲を自転しつつ公転する複数の遊星歯車２３Ｂと、該遊星歯車２３Ｂを回転可能に支持するキャリア２３Ｃとにより大略構成されている。
【００１５】
２４は各遊星歯車減速機構２２，２３によって減速された回転を駆動輪７に伝達する回転軸で、該回転軸２４は、軸方向の中間部位がサイドフレーム４のブラケット４Ａに軸受２５を介して回転可能に支持されている。そして、回転軸２４の軸方向一側は、遊星歯車減速機構２３のキャリア２３Ｃにスプライン結合され、回転軸２４の軸方向他側は、駆動輪７の中心部にスプライン結合されている。
【００１６】
従来技術による減速装置１１は上述の如き構成を有するもので、油圧モータ１２が作動して駆動歯車１８が回転すると、この駆動歯車１８の回転は、減速歯車２０、遊星歯車減速機構２２，２３によって３段減速され、この減速された回転が回転軸２４に伝わる。これにより、駆動輪７を大きなトルクをもって回転させることができ、該駆動輪７によって履帯８を周回駆動することにより、油圧ショベル１を走行させることができる。
【００１７】
ここで、従来技術の減速装置１１に用いられる駆動歯車１８は、図１０および図１１に示すように、内周側に軸孔１８Ａが形成されると共に外周側に歯部１８Ｂが形成され、軸孔１８Ａの内周側には雌スプライン１８Ｅが設けられている。そして、駆動歯車１８は、軸方向の中心線を挟んで左，右対称となるように構成されている。
【００１８】
これにより、例えば駆動歯車１８の軸方向一側の開口部１８Ｃを油圧モータ１２の出力軸１２Ａに組付けた場合でも、これとは逆に駆動歯車１８の軸方向他側の開口部１８Ｄを油圧モータ１２の出力軸１２Ａに組付けた場合でも、出力軸１２Ａに形成された雄スプライン１２Ｂを、駆動歯車１８の雌スプライン１８Ｅに確実に噛合させることができる構成となっている。このため、図１０に示すように、雌スプライン１８Ｅの軸方向の長さ寸法（歯幅）Ｌは、実際に雌スプライン１８Ｅと出力軸１２Ａの雄スプライン１２Ｂとが噛合する長さ寸法ΔＬよりも大きく設定されている。
【００１９】
【発明が解決しようとする課題】
ところで、駆動歯車１８に雌スプライン１８Ｅを加工する作業は、通常、多数の切削刃が設けられたブローチと呼ばれる切削工具を用いて、軸孔１８Ａの内周面を切削することにより行われる（ブローチ加工）。
【００２０】
しかし、大きな長さ寸法Ｌを有する雌スプライン１８Ｅのブローチ加工を行う場合には、この雌スプライン１８Ｅの長さ寸法Ｌに対応した長い（高価な）ブローチが必要となる。また、雌スプライン１８Ｅの全長に亘ってほぼ均一な寸法精度を確保するため、高い加工技術が要求される。
【００２１】
このため、従来技術による駆動歯車１８のように、雌スプライン１８Ｅの長さ寸法Ｌを必要以上に大きくした場合には、駆動歯車１８全体の製造コストが嵩んでしまうという問題がある。
【００２２】
これに対し、他の従来技術として、例えば図１２に示す如く雌スプライン１８Ｅ′の長さ寸法Ｌ′を小さく設定した駆動歯車１８′を用いた場合には、該駆動歯車１８′の製造コストを低減することができる。そして、この駆動歯車１８′は、軸方向一側の開口部１８Ｃを油圧モータ１２の出力軸１２Ａに組付けることにより、出力軸１２Ａの雄スプライン１２Ｂを雌スプライン１８Ｅ′に確実に噛合させることができる。
【００２３】
しかし、駆動歯車１８′は、雌スプライン１８Ｅ′の長さ寸法Ｌ′が小さいため、誤って軸方向他側の開口部１８Ｄを油圧モータ１２の出力軸１２Ａに組付けた場合には、出力軸１２Ａの雄スプライン１２Ｂと雌スプライン１８Ｅ′とが噛合する長さを充分に確保することができず、雌スプライン１８Ｅ′の損傷等を招くという問題がある。
【００２４】
本発明は上述した従来技術の問題に鑑みなされたもので、回転源の出力軸に対する駆動歯車の誤組付けを確実に抑えることができ、かつ、駆動歯車の製造コストを低減することができるようにした減速装置を提供することを目的としている。
【００２５】
【課題を解決するための手段】
上述した課題を解決するために本発明は、雄スプラインが形成された出力軸を有する回転源と、内周側に該回転源の出力軸が組付けられる軸孔が貫通して形成されると共に外周側に歯部が形成された駆動歯車と、該駆動歯車の回転を減速して出力する歯車減速機構とを備えてなる減速装置に適用される。
【００２６】
そして、請求項１の発明が採用する構成の特徴は、駆動歯車の内周側には、軸方向一側の開口部を出力軸に組付けたときに該出力軸の雄スプラインに噛合する組付け用雌スプラインと、軸方向他側の開口部を出力軸に誤って組付けたときに該出力軸の雄スプラインに引掛かる誤組付け防止用雌スプラインとを設けたことにある。
【００２７】
このように構成したことにより、駆動歯車の軸方向一側の開口部を、回転源の出力軸に組付けた場合には、駆動歯車の組付け用雌スプラインが出力軸の雄スプラインに噛合するので、駆動歯車を回転軸に適正に組付けることができる。一方、駆動歯車の軸方向他側の開口部を、誤って回転源の出力軸に組付けた場合には、駆動歯車の誤組付け防止用雌スプラインが出力軸の雄スプラインに引掛かるので、駆動歯車が誤った方向から出力軸に組付けられるのを抑えることができる。
【００２８】
請求項２の発明は、組付け用雌スプラインは、駆動歯車の軸方向中間位置から軸方向一側に寄った位置に配置し、誤組付け防止用雌スプラインは、駆動歯車の軸方向他側の開口部近傍に配置する構成としたことにある。
【００２９】
このように構成したことにより、駆動歯車の軸方向一側の開口部を出力軸に組付けたときに、組付け用雌スプラインを出力軸の雄スプラインに適正に噛合させることができるので、組付け用雌スプラインの長さ寸法を小さくすることができる。また、駆動歯車の軸方向他側の開口部を、誤って出力軸に組付けた場合には、出力軸に形成した雄スプラインが誤組付け防止用雌スプラインに引掛かるので、駆動歯車が出力軸に誤組付けされるのを防止することができる。
【００３０】
【発明の実施の形態】
以下、本発明の実施の形態による減速装置を油圧ショベルの走行装置に適用した場合を例に挙げ、図１ないし図７を参照しつつ詳細に説明する。なお、本実施の形態では、上述した従来技術と同一の構成要素に同一符号を付し、その説明を省略するものとする。
【００３１】
図中、３１は従来技術による減速装置１１に代えて本実施の形態に用いた走行用の減速装置で、該減速装置３１は、油圧モータ１２（出力軸１２Ａ）の回転を減速して回転軸２４に伝達するものである。ここで、減速装置３１は、従来技術によるものとほぼ同様に、ケーシング１３、後述の駆動歯車３２、減速歯車２０、遊星歯車減速機構２２，２３、回転軸２４等により構成されているものの、駆動歯車３２の構成が従来技術による駆動歯車１８とは異なっている。
【００３２】
３２は従来技術による駆動歯車１８に代えて本実施の形態に用いた駆動歯車で、該駆動歯車３２は、軸受１９，１９によって歯車ケース１４内に回転可能に支持され、油圧モータ１２の出力軸１２Ａに組付けられることにより、該出力軸１２Ａと一体に回転するものである。
【００３３】
ここで、駆動歯車３２は、図２ないし図４に示すように、内周側が軸方向に貫通する軸孔３２Ａとなり、外周側は減速歯車２０に噛合する平歯車状の歯部３２Ｂとなっている。そして、軸孔３２Ａの軸方向一側は開口部３２Ｃとなり、軸孔３２Ａの軸方向他側は開口部３２Ｄとなっている。
【００３４】
３２Ｅは軸孔３２Ａの内周側に形成された組付け用雌スプラインで、この組付け用雌スプライン３２Ｅは、油圧モータ１２の出力軸１２Ａに形成した雄スプライン１２Ｂに噛合するものである。ここで、組付け用雌スプライン３２Ｅは、軸方向の中間位置Ｐ−Ｐを挟んで左，右非対称となるように形成され、組付け用雌スプライン３２Ｅの軸方向の長さ寸法をＳとすると、この長さ寸法Ｓは、従来技術による駆動歯車１８の雌スプライン１８Ｅの長さ寸法Ｌよりも短く設定されている（Ｓ＜Ｌ）。
【００３５】
そして、組付け用雌スプライン３２Ｅは、軸方向の中間位置Ｐ−Ｐから軸方向一側（開口部３２Ｃ側）に寄った位置に配置されている。これにより、図１および図５に示すように、駆動歯車３２の軸方向一側の開口部３２Ｃを、油圧モータ１２の出力軸１２Ａに組付けた場合にのみ、組付け用雌スプライン３２Ｅが、出力軸１２Ａの雄スプライン１２Ｂに適正に噛合する構成となっている。
【００３６】
３２Ｆは組付け用雌スプライン３２Ｅとは異なる位置で軸孔３２Ａの内周側に形成された誤組付け防止用雌スプラインで、この誤組付け防止用雌スプライン３２Ｆは、油圧モータ１２の出力軸１２Ａに駆動歯車３２が誤って組付けられるのを防止するものである。
【００３７】
ここで、誤組付け防止用雌スプライン３２Ｆは、組付け用雌スプライン３２Ｅから軸方向に大きく離間し、駆動歯車３２の軸方向他側の開口部３２Ｄの近傍に配置されている。また、誤組付け防止用雌スプライン３２Ｆは、組付け用雌スプライン３２Ｅと等しい歯数を有し、軸方向の長さ寸法（歯幅）Ｔは、組付け用雌スプライン３２Ｅの長さ寸法Ｓに比較してはるかに小さな長さに設定されている。
【００３８】
そして、誤組付け防止用雌スプライン３２Ｆは、図６および図７に示すように、駆動歯車３２の軸方向他側の開口部３２Ｄを、誤って油圧モータ１２の出力軸１２Ａに組付けた場合に、出力軸１２Ａに形成した雄スプライン１２Ｂの切上り部１２Ｃが引掛かるものである。これにより、組付け方向を誤った駆動歯車３２が、出力軸１２Ａに組付けられるのを誤組付け防止用雌スプライン３２Ｆによって禁止することができ、駆動歯車３２の誤組付けを確実に防止することができる構成となっている。
【００３９】
ここで、組付け用雌スプライン３２Ｅと誤組付け防止用雌スプライン３２Ｆとは、歯数等が等しい同一形状を有する雌スプラインとして形成されている。このため、これら組付け用雌スプライン３２Ｅと誤組付け防止用雌スプライン３２Ｆとは、軸孔３２Ａの内周側に単一のブローチ（切削工具）を用いたブローチ加工を施すことにより、同時に形成することができる。
【００４０】
この場合、誤組付け防止用雌スプライン３２Ｆは、駆動歯車３２の組付け方向を誤ったときに、雄スプライン１２Ｂの切上り部１２Ｃが衝合するだけのものであるため、組付け用雌スプライン３２Ｅに比較して、精密な寸法精度を必要としない。
【００４１】
従って、駆動歯車３２の内周側に組付け用雌スプライン３２Ｅと誤組付け防止用雌スプライン３２Ｆとを形成する場合には、組付け用雌スプライン３２Ｅの長さ寸法Ｓに対応した、比較的短い（安価な）ブローチを用いることができる。しかも、組付け用雌スプライン３２Ｅの長さ寸法Ｓを、従来技術による雌スプライン１８Ｅの長さ寸法Ｌよりも短く設定しているので、この分、組付け用雌スプライン３２Ｅに対するブローチ加工を行うときに、精密な寸法精度を必要とする範囲を小さくすることができ、駆動歯車３２の製造コストを低減できる構成となっている。
【００４２】
本実施の形態による減速装置３１は上述の如き駆動歯車３２を有するもので、その基本的作動については従来技術によるものと格別差異はない。
【００４３】
然るに、本実施の形態によれば、駆動歯車３２に形成した軸孔３２Ａの内周側に、組付け用雌スプライン３２Ｅと、誤組付け防止用雌スプライン３２Ｆとを設ける構成としている。
【００４４】
これにより、図１および図５に示すように、駆動歯車３２の軸方向一側の開口部３２Ｃを油圧モータ１２の出力軸１２Ａに組付けたとき（適正な組付け時）にのみ、組付け用雌スプライン３２Ｅを出力軸１２Ａの雄スプライン１２Ｂに確実に噛合させることができる。この場合、組付け用雌スプライン３２Ｅは、駆動歯車３２の軸方向の中間位置Ｐ−Ｐから軸方向一側（開口部３２Ｃ側）に寄った位置に配置されているので、組付け用雌スプライン３２Ｅの長さ寸法Ｓを従来技術に比較して短くすることができる。
【００４５】
このため、組付け用雌スプライン３２Ｅに対するブローチ加工を行うときに、比較的短い安価なブローチを用いることができ、かつ、精密な寸法精度を必要とする範囲を小さくすることができるので、駆動歯車３２の製造コストを低減することができる。
【００４６】
一方、例えば図６および図７に示すように、駆動歯車３２の軸方向他側の開口部３２Ｄを、誤って油圧モータ１２の出力軸１２Ａに組付けたとき（誤組付け時）には、この開口部３２Ｄの近傍に設けた誤組付け防止用雌スプライン３２Ｆが、出力軸１２Ａに形成した雄スプライン１２Ｂの切上り部１２Ｃに引掛かる。これにより、駆動歯車３２が、組付け方向を誤ったまま出力軸１２Ａに組付けられてしまうのを、誤組付け防止用雌スプライン３２Ｆによって確実に防止することができる。
【００４７】
この結果、駆動歯車３２の組付け方向を誤ることなく、開口部３２Ｃを適正に油圧モータ１２の出力軸１２Ａに組付けることにより、組付け用雌スプライン３２Ｅを、出力軸１２Ａの雄スプライン１２Ｂに確実に噛合させることができる。これにより、減速装置３１を長期に亘って確実に作動させることができ、その信頼性を高めることができる。
【００４８】
なお、上述した実施の形態では、平歯車状の歯部３２Ｂを有する駆動歯車３２を例示している。しかし、本発明はこれに限るものではなく、例えばはすば歯車状、かさ歯車状、ウォーム歯車状の歯部を有する駆動歯車を用いてもよい。
【００４９】
また、上述した実施の形態では、１段の減速歯車２０と、２段の遊星歯車減速機構２２，２３とを備えた３段減速型の減速装置３１を例示している。しかし、本発明はこれに限るものではなく、２段以下の減速段を有する減速装置、あるいは４段以上の減速段を有する減速装置にも適用できるものである。
【００５０】
さらに、上述した実施の形態では、減速装置３１を油圧ショベルの走行装置に適用した場合を例示している。しかし、本発明はこれに限るものではなく、例えば建設機械の旋回装置、ロープウインチ装置等に搭載される減速装置にも適用できるものである。
【００５１】
【発明の効果】
以上詳述した如く、請求項１の発明によれば、駆動歯車の内周側に、軸方向一側の開口部を回転源の出力軸に組付けたときに該出力軸の雄スプラインに噛合する組付け用雌スプラインと、軸方向他側の開口部を誤って出力軸に組付けたときに該出力軸の雄スプラインに引掛かる誤組付け防止用雌スプラインとを設ける構成としている。これにより、駆動歯車の軸方向他側の開口部を誤って出力軸に組付けた場合には、誤組付け防止用雌スプラインによって駆動歯車が誤った方向から出力軸に組付けられるのを抑えることができ、駆動歯車の軸方向一側の開口部を出力軸に組付けた場合には、駆動歯車の組付け用雌スプラインを出力軸の雄スプラインに適正に噛合させることができる。従って、駆動歯車を、常に適正な方向から出力軸に組付けることにより、組付け用雌スプラインを出力軸の雄スプラインに確実に噛合させることができ、減速装置の信頼性を高めることができる。
【００５２】
また、請求項２の発明によれば、組付け用雌スプラインは、駆動歯車の軸方向中間位置から軸方向一側に寄った位置に配置し、誤組付け防止用雌スプラインは、駆動歯車の軸方向他側の開口部近傍に配置している。このため、駆動歯車の軸方向一側の開口部を出力軸に組付けることにより、組付け用雌スプラインを出力軸の雄スプラインに確実に噛合させることができるので、組付け用雌スプラインの長さ寸法を小さくすることができる。この結果、組付け用雌スプラインに対するブローチ加工を行うときに、比較的短い安価なブローチを用いることができ、かつ、精密な寸法精度を必要とする範囲を小さくすることができるので、駆動歯車の製造コストを低減することができる。
【００５３】
一方、駆動歯車の軸方向他側の開口部を誤って出力軸に組付けた場合には、出力軸に形成した雄スプラインの切上り部が誤組付け防止用雌スプラインに引掛かるので、駆動歯車が、組付け方向を誤ったまま出力軸に組付けられてしまうのを確実に防止することができ、減速装置の信頼性を高めることができる。
【図面の簡単な説明】
【図１】本発明の実施の形態による駆動歯車を油圧モータの出力軸に適正に組付けた状態で示す断面図である。
【図２】駆動歯車を単体で示す断面図である。
【図３】駆動歯車の組付け用雌スプライン等を示す図２中の矢示ＩＩＩ−ＩＩＩ方向からみた断面図である。
【図４】駆動歯車の誤組付け防止用雌スプライン等を示す図２中の矢示ＩＶ−ＩＶ方向からみた断面図である。
【図５】図１中のＡ部を拡大してみた要部拡大断面図である。
【図６】駆動歯車を誤組付けした状態を示す図１と同様位置の断面図である。
【図７】図６中のＢ部を拡大してみた要部拡大断面図である。
【図８】従来技術による減速装置を搭載した油圧ショベルを示す正面図である。
【図９】減速装置を油圧ショベルの走行装置に適用した状態で示す図８中の矢示ＩＸ−ＩＸ方向からみた断面図である。
【図１０】従来技術による駆動歯車を油圧モータの出力軸に組付けた状態で示す断面図である。
【図１１】従来技術による駆動歯車を単体で示す断面図である。
【図１２】他の従来技術による駆動歯車を単体で示す断面図である。
【符号の説明】
１２  油圧モータ（回転源）
１２Ａ  出力軸
１２Ｂ  雄スプライン
２０  減速歯車（歯車減速機構）
２２，２３  遊星歯車減速機構（歯車減速機構）
２４  回転軸
３１  減速装置
３２  駆動歯車
３２Ａ  軸孔
３２Ｂ  歯部
３２Ｃ，３２Ｄ  開口部
３２Ｅ  組付け用雌スプライン
３２Ｆ  誤組付け防止用雌スプライン
【図１】
2004245283.tif 000003
【図２】
2004245283.tif 000004
【図３】
2004245283.tif 000005
【図４】
2004245283.tif 000006
【図５】
2004245283.tif 000007
【図６】
2004245283.tif 000008
【図７】
2004245283.tif 000009
【図８】
2004245283.tif 000010
【図９】
2004245283.tif 000011
【図１０】
2004245283.tif 000012
【図１１】
2004245283.tif 000013
【図１２】
2004245283.tif 000014